(57)【要約】  本願の実施例は携帯電話充電器のケーブル巻き取り装置を提供し、該装置は携帯電話の電源アダプタハウジングにミゾを有し、ミゾ内に設置されるソフトプラスチック、及びソフトプラスチックの外側に設置され、携帯電話のデータケーブルを固定するケーブル係止溝を含む。本願の実施例に開示されている携帯電話充電器のケーブル巻き取り装置によって、携帯電話の電源アダプタハウジングにミゾを有し、携帯電話電源アダプタの内部マザーボード空間を効果的に避けるため、携帯電話電源アダプタの体積が増大しないことを確保し、ミゾ内にソフトプラスチックが設置され、ソフトプラスチックの外側に携帯電話のデータケーブルを固定するケーブル係止溝が設置されることにより、携帯電話のデータケーブルをきちんと巻いて携帯電話の電源アダプタハウジングに固定することができ、ほかの物体と乱雑に巻かれることがなく、携帯電話充電器を取り出して使用する効率を高める。【選択図】図１
2017526319.tif 000002
【特許請求の範囲】
【請求項１】
携帯電話充電器のケーブル巻き取り装置であって、携帯電話の電源アダプタハウジングにミゾを有し、前記ミゾ内にソフトプラスチックが設置され、
前記ソフトプラスチックの外側に、携帯電話のデータケーブルを固定するケーブル係止溝が設置されていることを特徴とする携帯電話充電器のケーブル巻き取り装置。
【請求項２】
前記ソフトプラスチックは、サーモプラスチックウレタンＴＵＰソフトプラスチックであることを特徴とする請求項１に記載の装置。
【請求項３】
前記ソフトプラスチックは、前記ミゾ内に射出成形されることを特徴とする請求項１に記載の装置。
【請求項４】
前記携帯電話の電源アダプタハウジングは、４つの丸角を有する四角柱形であることを特徴とする請求項３に記載の装置。
【請求項５】
任意の１つの前記丸角は、前記ソフトプラスチックが射出成形される前記ミゾを有することを特徴とする請求項４に記載の装置。
【請求項６】
任意の隣接しない２つの前記丸角は、前記ソフトプラスチックが射出成形される前記ミゾを有することを特徴とする請求項４に記載の装置。
【請求項７】
任意の３つの前記丸角は、前記ソフトプラスチックが射出成形される前記ミゾを有することを特徴とする請求項４に記載の装置。
【請求項８】
４つの前記丸角は、いずれも前記ソフトプラスチックが射出成形される前記ミゾを有することを特徴とする請求項４に記載の装置。
【請求項９】
前記ソフトプラスチックの外側に少なくとも２つのケーブル係止溝が設置されることを特徴とする請求項５乃至８のいずれかに記載の装置。
【請求項１０】
２つの前記ケーブル係止溝は、それぞれ前記ソフトプラスチックの両端に設置されることを特徴とする請求項９に記載の装置。
【発明の詳細な説明】
【技術分野】
【０００１】
本願は２０１５年７月２９日に中国特許局に提出され、出願番号が２０１５２０５６０７２７．５、発明の名称が「携帯電話充電器のケーブル巻き取り装置」である中国特許出願の優先権を主張し、そのすべての内容を援用し、本明細書に組み込む。
【０００２】
本願は電子技術分野に関するものであり、特に携帯電話充電器のケーブル巻き取り装置に関する。
【背景技術】
【０００３】
電子技術の発展に従って、携帯電話を使用するユーザが益々多くなり、携帯電話バッテリに蓄積された電力は限りがあり、ユーザは携帯電話充電器で携帯電話を充電する必要がある。
【０００４】
従来、携帯電話充電器は電源アダプタとデータケーブルの２つの部分で構成され、電源アダプタはＵＳＢ（Ｕｎｉｖｅｒｓａｌ  Ｓｅｒｉａｌ  Ｂｕｓ、汎用シリアルバス）インターフェースを介してデータケーブルと接続される。電源アダプタは２２０Ｖの高電圧交流電力を５Ｖの低電圧直流電力に変換し、データケーブルによって電気エネルギーを携帯電話充電インターフェースに伝達し、携帯電話への充電を実現する。
【０００５】
充電時の携帯電話の移動範囲を広げるために、通常はデータケーブルを長くする。携帯する過程で、データケーブルはほかの物体と乱雑に巻かれる。従って、充電前に、ユーザがデータケーブルをほかの物体と分離する必要があり、携帯電話充電器を取り出して使用する効率を下げる。
【０００６】
要するに、当業者が早急に解決を要する技術的課題は、どのように携帯電話のデータケーブルがほかの物体と乱雑に巻かれることを防止し、携帯電話充電器を取り出して使用する効率を高めるかということである。
【発明の概要】
【０００７】
本願の実施例は、携帯電話のデータケーブルが他の物体と乱雑に巻かれることを防止し、携帯電話充電器を取り出して使用する効率を高めるという技術的課題を解決するための携帯電話充電器のケーブル巻き取り装置を提供する。
【０００８】
上記課題を解決するために、本願の実施例は携帯電話充電器のケーブル巻き取り装置を開示しており、
当該携帯電話充電器のケーブル巻き取り装置は以下のものを備え、携帯電話の電源アダプタハウジングにミゾを有し、前記ミゾ内にソフトプラスチックが設置され、
前記ソフトプラスチックの外側に、携帯電話のデータケーブルを固定するケーブル係止溝が設置されている。
【０００９】
好ましくは、前記ソフトプラスチックはサーモプラスチックウレタンＴＵＰソフトプラスチックである。
【００１０】
好ましくは、前記ソフトプラスチックは前記ミゾ内に射出成形される。
【００１１】
好ましくは、前記携帯電話の電源アダプタハウジングは４つの丸角を有する四角柱形である。
【００１２】
好ましくは、任意の１つの前記丸角は前記ソフトプラスチックが射出成形される前記ミゾを有する。
【００１３】
好ましくは、任意の隣接しない２つの前記丸角は前記ソフトプラスチックが射出成形される前記ミゾを有する。
【００１４】
好ましくは、任意の３つの前記丸角は前記ソフトプラスチックが射出成形される前記ミゾを有する。
【００１５】
好ましくは、４つの前記丸角はいずれも前記ソフトプラスチックが射出成形される前記ミゾを有する。
【００１６】
好ましくは、前記ソフトプラスチックの外側に少なくとも２つのケーブル係止溝が設置される。
【００１７】
好ましくは、２つの前記ケーブル係止溝はそれぞれ前記ソフトプラスチックの両端に設置される。
【００１８】
本願の実施例は携帯電話充電器のケーブル巻き取り装置を提供し、携帯電話の電源アダプタハウジングにミゾを有し、携帯電話電源アダプタの内部マザーボード空間を効果的に避けるため、携帯電話電源アダプタの体積が増大しないことを確保し、ミゾ内にソフトプラスチックが設置され、ソフトプラスチックの外側に携帯電話のデータケーブルを固定するケーブル係止溝が設置されることにより、携帯電話のデータケーブルをきちんと巻いて携帯電話の電源アダプタハウジングに固定することができ、ほかの物体と乱雑に巻かれることがなく、携帯電話充電器を取り出して使用する効率を高める。
【図面の簡単な説明】
【００１９】
本願の実施例または従来技術における技術的解決手段をより明確に説明するために、以下、実施例または従来技術の説明で使用する必要がある図面について簡単に説明し、以下説明される図面は本願のいくつかの実施例であり、当業者にとって、創造的な労働を必要とせずに、これらの図面に基づいて他の図を得ることは明らかである。
【図１】本願の実施例に係わる携帯電話充電器のケーブル巻き取り装置の模式図である。
【図２】本願の実施例に係わる携帯電話充電器の左面図である。
【図３】本願の実施例に係わる携帯電話充電器の右面図である。
【図４】本願の実施例に係わる携帯電話充電器の側面図である。
【図５】本願の実施例に係わる携帯電話充電器の上面図である。
【図６】本願の実施例に係わるケーブル巻き取り模式図である。
【発明を実施するための形態】
【００２０】
本願の実施例の目的、技術的解決手段及びメリットをより明らかにするために、以下、本願の実施例における図面を参照しながら、本願の実施例における技術的解決手段を明確かつ完全に説明し、無論、説明される実施例は本願の一部の実施例に過ぎず、すべての実施例でない。本願における実施例に基づいて、当業者が創造的な労働を必要とせずに得たすべてのほかの実施例は、いずれも本願の保護範囲に属する。
【００２１】
図１は本願の実施例に係わる携帯電話充電器のケーブル巻き取り装置の模式図であり、
図２は本願の実施例に係わる携帯電話充電器の左面図であり、
図３は本願の実施例に係わる携帯電話充電器の右面図であり、
図４は本願の実施例に係わる携帯電話充電器の側面図であり、
図５は本願の実施例に係わる携帯電話充電器の上面図である。
【００２２】
本願の実施例は携帯電話充電器のケーブル巻き取り装置を提供しており、図１〜５に示されるように、当該携帯電話充電器のケーブル巻き取り装置は以下のものを備える。即ち、携帯電話の電源アダプタハウジング１にミゾを有し、ミゾ内にソフトプラスチック２が設置され、ソフトプラスチックの外側に、携帯電話のデータケーブルを固定するケーブル係止溝３が設置されている。
【００２３】
ただし、携帯電話の電源アダプタハウジングは４つの丸角を有する四角柱形である。無論、携帯電話の電源アダプタハウジングはほかの形状であってもよく、たとえば、球状、円筒状等が挙げられ、ただし、四角柱形は現在の市場で通常見られる携帯電話の電源アダプタハウジングの形状である。
【００２４】
図１〜４は携帯電話の電源アダプタハウジングの１つの丸角にソフトプラスチックが射出成形されるミゾを有し、ソフトプラスチックの外側に携帯電話のデータケーブルを固定するケーブル係止溝が設置されることを示す。
【００２５】
本願の実施例では、携帯電話の電源アダプタハウジングの少なくとも１つの丸角にミゾがあってもよく、以下のような複数種の状況がある。
任意の１つの丸角はソフトプラスチックが射出成形されるミゾを有し、
任意の隣接しない２つの丸角はソフトプラスチックが射出成形されるミゾを有し、
任意の３つの丸角はソフトプラスチックが射出成形されるミゾを有し、
４つの丸角はいずれもソフトプラスチックが射出成形されるミゾを有する。
【００２６】
任意の１つの丸角にミゾを設置することにより、ミゾが内部マザーボード空間を占めることを防止し、携帯電話の電源アダプタハウジングが従来の携帯電話の電源アダプタハウジングの体積と同一であり、携帯電話の電源アダプタハウジングの体積を増大させないことを確保することができ、複数の丸角にミゾを設置することにより、ソフトプラスチックと携帯電話のデータケーブルとの摩擦面積を増大させることができるだけでなく、携帯電話のデータケーブルを固定するケーブル係止溝の数を増加させることができ、それにより携帯電話のデータケーブルを固定する能力を高める。
【００２７】
本願の実施例では、携帯電話のデータケーブルをケーブル係止溝に係止しやすくし、またはケーブル係止溝から携帯電話のデータケーブルを取り出しやすくするために、ソフトプラスチックはＴＰＵ（Ｔｈｅｒｍｏ  Ｐｌａｓｔｉｃ  Ｕｒｅｔｈａｎｅ、サーモプラスチックウレタン）ソフトプラスチックであってもよい。ＴＰＵソフトプラスチックは弾性が高く、熱可塑性が高く、価格が安く、防火難燃性が高い等の利点を有する。  
【００２８】
本願の実施例では、ソフトプラスチックはミゾ内に射出成形される。実際の生産では、二重材料の射出成形技術によって、同時に携帯電話の電源アダプタハウジングとＴＵＰソフトプラスチックを射出成形することができ、ＴＵＰソフトプラスチックを携帯電話の電源アダプタハウジングと一体にし、ＴＵＰソフトプラスチックと携帯電話の電源アダプタハウジングの付着安定性を確保し、且つ製造された携帯電話充電器の美観性に優れている。
【００２９】
ただし、ソフトプラスチックのミゾと接触しない一側は外側であり、ソフトプラスチックの外側に少なくとも２つのケーブル係止溝を設置することができ、２つのケーブル係止溝はそれぞれソフトプラスチックの両端に設置され、携帯電話のデータケーブルの両端を固定することに用いられる。
【００３０】
図６は本願の実施例に係わるケーブル巻き取り模式図である。
【００３１】
図６に示されるように、携帯電話のデータケーブルを巻く時、まず携帯電話のデータケーブルをソフトプラスチックの上端のケーブル係止溝３に係合し、次にデータケーブルを携帯電話の電源アダプタハウジング１に巻き、最終的に携帯電話のデータケーブルをソフトプラスチックの下端のケーブル係止溝３に係止する必要があり、携帯電話のデータケーブルを携帯電話の電源アダプタハウジングに巻くことを実現する。
【００３２】
ただし、上記携帯電話のデータケーブルの横断面は円形であってもよく、円形に近い形状であってもよい。
【００３３】
本願の実施例に係わる携帯電話充電器のケーブル巻き取り装置によって、携帯電話の電源アダプタハウジングにミゾを有し、携帯電話電源アダプタの内部マザーボード空間を効果的に避けるため、携帯電話電源アダプタの体積が増大しないことを確保し、ミゾ内にソフトプラスチックが設置され、ソフトプラスチックの外側に携帯電話のデータケーブルを固定するケーブル係止溝が設置されることにより、携帯電話のデータケーブルをきちんと巻いて携帯電話の電源アダプタハウジングに固定することができ、ほかの物体と乱雑に巻かれることがなく、携帯電話充電器を取り出して使用する効率を高める。
【図１】
2017526319.tif 000003
【図２】
2017526319.tif 000004
【図３】
2017526319.tif 000005
【図４】
2017526319.tif 000006
【図５】
2017526319.tif 000007
【図６】
2017526319.tif 000008
【国際調査報告】
2017526319.tif 000009
2017526319.tif 000010
2017526319.tif 000011
2017526319.tif 000012